(57)【特許請求の範囲】
【請求項１】
シンクを有するカウンタと、
前記カウンタの下方に設けられた食器洗浄機と、
を備え、
前記食器洗浄機は、
出し入れ口を有する洗浄槽と、
前記洗浄槽の内部に水を噴射するノズルと、
前記出し入れ口を通して前記洗浄槽に対して出し入れ可能とされ被洗浄物を収納するカゴと、
前記出し入れ口の下端部を中心として開閉する扉と、
前記洗浄槽の上部に設けられたスライドレールと、
線材が格子状に組み込まれて形成された底部を有するベース部であって、前記スライドレールにより前記洗浄槽に収納された状態と前記洗浄槽から引き出された状態との間で移動可能なベース部と、
を有し、
前記カゴは、
下カゴと、
前記洗浄槽の内部において前記下カゴよりも上方に配置される上カゴと、
を有し、
前記上カゴは、一方の端部に設けられた前係止片と、他方の端部に設けられた後係止片と、を有し、前記前係止片および前記後係止片が互いに前後方向に配置されるように前記底部に載置可能とされ、前記載置された状態では、前記スライドレールにより前記洗浄槽に収納された状態と前記洗浄槽から引き出された状態との間で移動可能であり、前記底部から外された状態では、前記前係止片および前記後係止片が前記シンクの周縁に係止されることで前記シンクに設置可能とされたことを特徴とするシステムキッチン。
【請求項２】
前記スライドレールは、
前記洗浄槽に固定された外レールと、
前記外レールに対して前後方向へ移動する内レールと、
を有し、
前記ベース部の後部は、前記内レールに対して前後方向へ移動可能に取り付けられたことを特徴とする請求項１記載のシステムキッチン。
【請求項３】
前記上カゴは、把持可能とされた持ち手を有し、
前記ベース部は、把持可能とされ前記持ち手とは異なる引き手を有することを特徴とする請求項１または２に記載のシステムキッチン。
【発明の詳細な説明】
【技術分野】
【０００１】
本発明の態様は、一般的に、システムキッチンに関する。
【背景技術】
【０００２】
システムキッチンのシンクに係止され、洗い終わった食器を保管する水切りカゴは、一般的に、シンクに係止されたままの状態で使用される。そのため、水切りカゴがシンクに係止されていない状態と比較すると、シンクが狭くなるという問題や、水切りカゴが不衛生になりやすいという問題がある。
【０００３】
これに対して、補助カゴを備えた食器洗い機がある（特許文献１）。特許文献１に記載された食器洗い機では、使用者は、補助カゴを食器洗い機からシンクに移動することが可能である。これによれば、使用者は、補助カゴを食器洗い機に収納すると、比較的広いシンクを使用することができる。また、補助カゴは、食器洗い機により洗浄されるため、衛生的な状態を保つことができる。さらに、使用者がシンクに移動した補助カゴに食器や調理道具などの被洗浄物を積載し、被洗浄物ごと補助カゴをシンクから食器洗い機に移動することで、片付け作業の効率化や省力化を図ることができる。
【０００４】
しかし、被洗浄物を積載した補助カゴの重量は、おおよそ２〜４キログラムである。そのため、使用者が食器洗い機に補助カゴを装着する際に例えば腰を屈めたりすると、腰などの身体への負担が比較的大きい。
【先行技術文献】
【特許文献】
【０００５】
【特許文献１】特開２０００−２１７７７０号公報
【特許文献２】特開２０１２−１２０７４０号公報
【発明の概要】
【発明が解決しようとする課題】
【０００６】
本発明は、かかる課題の認識に基づいてなされたものであり、シンクと食器洗浄機との間でカゴを移動させる際に身体への負担を軽減することができる食器洗浄機を備えたシステムキッチンを提供することを目的とする。
【課題を解決するための手段】
【０００７】
第１の発明は、シンクを有するカウンタと、前記カウンタの下方に設けられた食器洗浄機と、を備え、前記食器洗浄機は、出し入れ口を有する洗浄槽と、前記洗浄槽の内部に水を噴射するノズルと、前記出し入れ口を通して前記洗浄槽に対して出し入れ可能とされ被洗浄物を収納するカゴと、前記出し入れ口の下端部を中心として開閉する扉と、前記洗浄槽の上部に設けられたスライドレールと、線材が格子状に組み込まれて形成された底部を有するベース部であって、前記スライドレールにより前記洗浄槽に収納された状態と前記洗浄槽から引き出された状態との間で移動可能なベース部と、を有し、前記カゴは、下カゴと、前記洗浄槽の内部において前記下カゴよりも上方に配置される上カゴと、を有し、前記上カゴは、一方の端部に設けられた前係止片と、他方の端部に設けられた後係止片と、を有し、前記前係止片および前記後係止片が互いに前後方向に配置されるように前記底部に載置可能とされ、前記載置された状態では、前記スライドレールにより前記洗浄槽に収納された状態と前記洗浄槽から引き出された状態との間で移動可能であり、前記底部から外された状態では、前記前係止片および前記後係止片が前記シンクの周縁に係止されることで前記シンクに設置可能とされたことを特徴とするシステムキッチンである。
【０００８】
このシステムキッチンによれば、上カゴは、食器洗浄機の洗浄槽と、シンクと、の間を移動可能である。そのため、使用者は、上カゴをシンクに設置し水切りカゴとして用いることができる。そのため、使用者は、汚れた食器（洗浄前の食器）をシンクで上カゴに収納し、汚れた食器が収納された上カゴをそのまま食器洗浄機に移動して洗浄することができる。これにより、例えば食器や調理器具などの被洗浄物を１つずつ食器洗浄機にセットする手間を削減することができ、食事の後片付けをより短時間で行うことができる。そのため、片付け作業の効率化および省力化を図ることができる。
【０００９】
また、上カゴは、下カゴと一体ではなく、下カゴとは分離している。そのため、被洗浄物の重量は、上カゴと下カゴとに分散される。そのため、被洗浄物が収納された上カゴと、被洗浄物が収納された下カゴと、のそれぞれの重量を軽減することができる。そのため、食器洗浄機に対する上カゴの出し入れ作業や、上カゴのスライド作業が、比較的楽になる。
【００１０】
また、上カゴは、食器洗浄機の洗浄槽の上部に設けられたスライドレールによって洗浄槽に収納された状態と引き出された状態との間で移動可能なベース部に着脱可能とされている。ベース部は、スライドレールにより出し入れしやすい高さと位置とに上カゴを引き出すことができる。そのため、使用者は、腰を屈めなくともスライドレールに対して上カゴを着脱することができる。これにより、腰などの身体への負担を軽減することができる。このとき、使用者は、洗浄槽の内部に固定されたレール等に上カゴを載置するわけではなく、洗浄槽の外部に移動したベース部に対して上カゴの着脱作業を行う。そのため、使用者は、被洗浄物が収納された比較的重い上カゴを無理な姿勢で洗浄槽の内部に収める必要はない。これにより、食器洗いの作業性が良好となる。
【００１１】
また、使用者は、上カゴをシンクから移動させて、スライドレールによって洗浄槽の内外に移動可能とされたベース部の底部に載せるだけで、上カゴを食器洗浄機にセットすることができる。この際、ベース部の所定位置からずれた位置で使用者が上カゴから手を離しても、上カゴは、ベース部に支持されベース部から落下しない。そのため、使用者は、被洗浄物が上カゴに収納されていても、安心して上カゴから手を離すことができる。
【００１２】
また、使用者は、ベース部の底部に上カゴを載せることで、上カゴを食器洗浄機にセットすることができる。そのため、使用者は、上カゴを食器洗浄機にセットする作業を楽に行うことができる。ベース部の底部は、線材が格子状に組み込まれた構造を有する。そのため、上カゴがベース部をすり抜けて落下することはない。これにより、上カゴの落下をより確実に防止することができる。ベース部は、線材が格子状に組まれた構造を有すため、ノズルから噴射された水は、上カゴに収納された食器に直接当たることができる。そのため、ベース部の底部に載せた上カゴに収納された食器は、強い水流によって洗浄される。これにより、十分な汚れ落とし性能を発揮することができる。
【００１３】
また、前係止片および後係止片が互いに前後方向に配置されるように、上カゴは、ベース部の底部に載置される。そのため、前係止片および後係止片は、洗浄槽中でも水が到達しにくい領域に配置される。これにより、上カゴの被洗浄物の収納容量を維持しつつ、前係止片および後係止片を洗浄槽に効率的に収めることができる。
【００１４】
一方、食器洗浄機は、シンクの隣に配設される。その場合、シンクの周縁に係止させた上カゴの向きがベース部に載せた上カゴの向きと異なると、使用者は、シンクからベース部に、あるいは、ベース部からシンクに上カゴを移動させるためには、身体を約９０度回転させる必要がある。その際、食器や調理器具などの被洗浄物が上カゴに収納されているため、上カゴの重量は、比較的重い。そのため、使用者は、腰をひねってしまうことも考えられる。これに対して、本発明のシステムキッチンによれば、使用者は、シンクの周縁に係止された上カゴを、シンクの周縁に係止された向きと同じ向きのままベース部に載せればよい。そのため、使用者は、食器や調理器具などの被洗浄物が収納された比較的重い上カゴを、身体の向きを変えることなくシンクとベース部との間で移動させることができる。これにより、身体への負担をより一層軽減することができる。
【００１５】
第２の発明は、第１の発明において、前記スライドレールは、前記洗浄槽に固定された外レールと、前記外レールに対して前後方向へ移動する内レールと、を有し、前記ベース部の後部は、前記内レールに対して前後方向へ移動可能に取り付けられたことを特徴とするシステムキッチンである。
【００１６】
このシステムキッチンによれば、スライドレールは、比較的高価な三段式のレールとは異なり、外レールと、内レールと、を有する。これにより、スライドレールは、洗浄槽の外側へベース部を引き出し、カウンタの前縁よりも前方へベース部をより確実に移動させることができる。
【００１７】
第３の発明は、第１または２の発明において、前記上カゴは、把持可能とされた持ち手を有し、前記ベース部は、把持可能とされ前記持ち手とは異なる引き手を有することを特徴とするシステムキッチンである。
【００１８】
このシステムキッチンによれば、使用者が上カゴを移動させる際に把持する持ち手とは別に、使用者が洗浄槽からベース部を引き出す際に把持する引き手がベース部に設けられている。これにより、使用者は、洗浄槽に対して上カゴを出し入れする動作をより安定的に行うことができる。
【発明の効果】
【００１９】
本発明の態様によれば、シンクと食器洗浄機との間でカゴを移動させる際に身体への負担を軽減することができる食器洗浄機を備えたシステムキッチンが提供される。
【図面の簡単な説明】
【００２０】
【図１】本発明の実施の形態にかかる食器洗浄機を備えたシステムキッチンを表す模式的斜視図である。
【図２】本実施形態にかかるシステムキッチンを右斜め上方から眺めた模式的斜視図である。
【図３】本実施形態にかかるシステムキッチンを右側方から眺めた模式的平面図である。
【図４】本実施形態の食器洗浄機を表す模式図である。
【図５】本実施形態の洗浄槽の内部を表す模式的斜視図である。
【図６】本実施形態のベース部が洗浄槽から引き出された状態を表す模式的斜視図である。
【図７】本実施形態の食器洗浄機の洗浄槽の内部を上方から眺めた模式的平面図である。
【図８】片付け作業の一例を例示する模式図である。
【図９】片付け作業の一例を例示する模式図である。
【図１０】片付け作業の一例を例示する模式図である。
【図１１】片付け作業の一例を例示する模式図である。
【図１２】片付け作業の一例を例示する模式図である。
【図１３】片付け作業の一例を例示する模式図である。
【図１４】片付け作業の一例を例示する模式図である。
【図１５】片付け作業の一例を例示する模式図である。
【発明を実施するための形態】
【００２１】
以下、本発明の実施の形態について図面を参照しつつ説明する。なお、各図面中、同様の構成要素には同一の符号を付して詳細な説明は適宜省略する。  
図１は、本発明の実施の形態にかかる食器洗浄機を備えたシステムキッチンを表す模式的斜視図である。
【００２２】
図１に表したシステムキッチン１００は、カウンタ２００と、食器洗浄機３００と、を備える。カウンタ２００は、シンク２１０を有する。例えば、シンク２１０の後部には、水栓２１１が設けられている。  
本願明細書においては、システムキッチン１００の前においてシンク２１０と向き合う使用者からみて手前側を「前方」とし、奥側を「後方」とし、上側を「上方」とし、下側を「下方」とし、右側を「右側方」とし、左側を「左側方」とする。
【００２３】
食器洗浄機３００は、カウンタ２００の下方に設けられている。より具体的には、食器洗浄機３００は、カウンタ２００の下方に組み込まれている。食器洗浄機３００は、洗浄槽３０１と、扉３０５と、カゴ３１０と、を有する。洗浄槽３０１は、出し入れ口３０３を有する。図１に表した矢印Ａ１のように、扉３０５は、洗浄槽３０１の出し入れ口３０３の下端部を略中心として開閉する。図１は、扉３０５が開いた状態を表している。
【００２４】
カゴ３１０は、例えば食器や調理器具などの被洗浄物６０１を収納し、出し入れ口３０３を通して洗浄槽３０１に対して出し入れ可能とされている。カゴ３１０は、下カゴ３２０と、上カゴ３３０と、を有する。下カゴ３２０は、洗浄槽３０１の内部において、上カゴ３３０よりも下方に配置される。上カゴ３３０は、洗浄槽３０１の内部において、下カゴ３２０よりも上方に配置される。
【００２５】
図２は、本実施形態にかかるシステムキッチンを右斜め上方から眺めた模式的斜視図である。  
図３は、本実施形態にかかるシステムキッチンを右側方から眺めた模式的平面図である。  
図４は、本実施形態の食器洗浄機を表す模式図である。  
図４（ａ）は、本実施形態の食器洗浄機を左斜め上方から眺めた模式的斜視図である。図４（ｂ）は、本実施形態の食器洗浄機を上方から眺めた模式的平面図である。図４（ｃ）は、本実施形態の食器洗浄機を前方から眺めた模式的平面図である。
【００２６】
本実施形態の食器洗浄機３００は、ベース部３４０を有する。ベース部３４０は、スライドレール３５０に取り付けられている。スライドレール３５０は、洗浄槽３０１の上部に設けられ、前後方向に移動する部分（内レール３５２：例えば図９参照）を有する。図３に表したように、システムキッチン１００が設置された床面１９０と、前後方向に移動するスライドレール３５０の部分（内レール３５２）の上面と、の間の距離Ｄ４は、例えば約６００ミリメートル以上８００ミリメートル以下程度である。詳細については、後述する。  
ベース部３４０は、スライドレール３５０により、洗浄槽３０１に収納された状態と、洗浄槽３０１から引き出された状態と、の間で移動可能である。ベース部３４０は、引き手３４５を有する。使用者は、引き手３４５を持ってベース部３４０を移動させることができる。
【００２７】
図４（ａ）〜図４（ｃ）に表したように、ベース部３４０は、上カゴ３３０を保持することができる。言い換えれば、上カゴ３３０は、ベース部３４０に保持あるいは支持され、食器洗浄機３００に設置される。上カゴ３３０は、ベース部３４０に保持された状態において、ベース部３４０とともに移動する。そのため、上カゴ３３０は、スライドレール３５０に取り付けられたベース部３４０を介して、洗浄槽３０１に収納された状態と、洗浄槽３０１から引き出された状態と、の間で移動可能である。
【００２８】
図２に表したように、ベース部３４０は、底部（落下防止手段）３４１と、側部３４３と、を有する。底部３４１は、線材が格子状に組み込まれた構造を有し、上カゴ３３０を比較的広い範囲で受けることができる。あるいは、底部３４１は、線材が格子状に組み込まれた構造を有し、上カゴ３３０を全体として面で受けることができる。底部３４１は、上カゴ３３０の落下を防止する落下防止手段として機能する。
【００２９】
図２に表した矢印Ａ２のように、使用者は、スライドレール３５０に取り付けられたベース部３４０から上カゴ３３０を取り外し、シンク２１０に設置することができる。つまり、上カゴ３３０は、ベース部３４０に対して着脱可能とされている。上カゴ３３０は、ベース部３４０を介してスライドレール３５０に対して間接的に着脱可能とされている。
【００３０】
図２および図４（ｂ）に表したように、上カゴ３３０は、長辺３３３と、短辺３３４と、を有する。長辺３３３の長さは、短辺３３４の長さよりも長い。つまり、ベース部３４０に保持された状態の上カゴ３３０あるいはシンク２１０に設置された状態の上カゴ３３０を上方からみたとき、上カゴ３３０は、略長方形を呈する。上カゴ３３０がシンク２１０に設置された状態では、長辺３３３は、前後方向に延在する。上カゴ３３０がシンク２１０に設置された状態では、短辺は、左右方向に延在する。  
図２に表したように、上カゴ３３０は、係止片３３１を有する。係止片３３１は、上カゴ３３０の上方の端部に設けられている。係止片３３１は、前係止片３３１ａと、後係止片３３１ｂと、を有する。前係止片３３１ａは、一方の短辺３３４に設けられている。後係止片３３１ｂは、他方の短辺３３４に設けられている。係止片３３１は、上カゴ３３０がシンク２１０に配置されるときにシンク２１０の周縁に引っ掛かる。
【００３１】
図４（ａ）および図４（ｂ）に表したように、上カゴ３３０がベース部３４０に保持された状態では、長辺３３３は、前後方向に延在する。上カゴ３３０がベース部３４０に保持された状態では、短辺３３４は、左右方向に延在する。つまり、上カゴ３３０がベース部３４０に保持された状態では、上カゴ３３０の長手方向は、前後方向と略平行している。
【００３２】
図３に表したように、上カゴ３３０が洗浄槽３０１から引き出された状態では、カウンタ２００の前縁２０１と、ベース部３４０に保持された上カゴ３３０の後端部３３１ｄ（本実施形態では後係止片３３１ｂの先端部）と、の間において前後方向の隙間Ｄ１が存在する。言い換えれば、上カゴ３３０が洗浄槽３０１から引き出された状態では、ベース部３４０に保持された上カゴ３３０の後端部３３１ｄは、カウンタ２００の前縁２０１よりも前方に存在する。
【００３３】
また、図３に表したように、上カゴ３３０がベース部３４０に保持された状態では、ベース部３４０の側部３４３と、上カゴ３３０の前端部３３１ｃ（本実施形態では前係止片３３１ａの先端部）と、の間において前後方向の間隔Ｄ２が存在し、且つ、ベース部３４０の前端部３４５ａ（本実施形態では引き手３４５の先端部）と、上カゴ３３０の前端部３３１ｃと、の間において前後方向の間隔Ｄ３が存在する。言い換えれば、上カゴ３３０がベース部３４０に保持された状態では、上カゴ３３０の前端部３３１ｃは、ベース部３４０の側部３４３よりも前方、且つ、ベース部３４０の前端部３４５ａよりも後方に存在する。あるいは、上カゴ３３０がベース部３４０に保持された状態では、上カゴ３３０の前端部３３１ｃは、前後方向において、ベース部３４０の側部３４３とベース部３４０の前端部３４５ａとの間に存在する。
【００３４】
図５は、本実施形態の洗浄槽の内部を表す模式的斜視図である。  
図６は、本実施形態のベース部が洗浄槽から引き出された状態を表す模式的斜視図である。
【００３５】
図５に表したように、本実施形態の食器洗浄機３００の洗浄槽３０１の内部には、ノズル３６０が設けられている。ノズル３６０は、洗浄槽３０１の内部に洗浄水を噴射する。本実施形態の食器洗浄機３００は、２つのノズル３６０を有する。但し、ノズル３６０の設置数は、２つに限定されず、１つであってもよいし、３つ以上であってもよい。
【００３６】
本実施形態では、一方のノズル３６０は、洗浄槽３０１の底面３０１ａに設けられている。底面３０１ａに設けられたノズル３６０は、洗浄水を噴射すると、図５に表した矢印Ａ３のように回転する。つまり、底面３０１ａに設けられたノズル３６０は、回転式のノズルである。  
他方のノズル３６０は、下カゴ３２０と上カゴ３３０との間において洗浄槽３０１の奥側の側壁３０１ｂに設けられている。側壁３０１ｂに設けられたノズル３６０は、洗浄水を噴射すると、図５に表した矢印Ａ４のように回転する。つまり、側壁３０１ｂに設けられたノズル３６０は、回転式のノズルである。
【００３７】
洗浄槽３０１の内部の上部には、スライドレール３５０が設けられている。図６に表したように、スライドレール３５０は、ベース部３４０の後部に取り付けられ、ベース部３４０が洗浄槽３０１に収納された状態と、ベース部３４０が洗浄槽３０１から引き出された状態と、を切り替える。本実施形態の食器洗浄機３００は、２つのスライドレール３５０を有する。但し、スライドレール３５０の設置数は、２つに限定されるわけではない。
【００３８】
本実施形態では、一方のスライドレール３５０は、洗浄槽３０１の右側の側壁３０１ｃに設けられている。他方のスライドレール３５０は、洗浄槽３０１の左側の側壁３０１ｄに設けられている。
【００３９】
本実施形態によれば、上カゴ３３０は、食器洗浄機３００の洗浄槽３０１と、シンク２１０と、の間を移動可能である。そのため、使用者は、上カゴ３３０をシンク２１０に設置し水切りカゴとして用いることができる。そのため、使用者は、汚れた食器（シンク２１０で予洗いされた食器）をシンク２１０で上カゴ３３０に収納し、汚れた食器が収納された上カゴ３３０をそのまま食器洗浄機３００に移動して洗浄することができる。これにより、被洗浄物６０１の全てを１つずつ食器洗浄機３００にセットする手間を削減することができ、食事の後片付けをより短時間で行うことができる。そのため、片付け作業の効率化および省力化を図ることができる。
【００４０】
また、上カゴ３３０は、下カゴ３２０と一体ではなく、下カゴ３２０とは分離している。そのため、被洗浄物６０１の重量は、上カゴ３３０と下カゴ３２０とに分散される。そのため、被洗浄物６０１が収納された上カゴ３３０と、被洗浄物６０１が収納された下カゴ３２０と、のそれぞれの重量を軽減することができる。そのため、食器洗浄機３００に対する上カゴ３３０の出し入れ作業や、上カゴ３３０のスライド作業が、比較的楽になる。
【００４１】
また、上カゴ３３０は、食器洗浄機３００の洗浄槽３０１の上部に設けられたスライドレール３５０から間接的に取り外し可能とされている。ベース部３４０は、スライドレール３５０により出し入れしやすい高さと位置とに上カゴ３３０を引き出すことができる。そのため、使用者は、腰を屈めなくともスライドレール３５０に対して上カゴ３３０を着脱することができる。これにより、腰などの身体への負担を軽減することができる。このとき、使用者は、洗浄槽３０１の内部に固定されたレール等に上カゴ３３０を載置するわけではなく、洗浄槽３０１の外部に移動したスライドレール３５０に対して上カゴ３３０の着脱作業を行う。そのため、使用者は、被洗浄物６０１が収納された比較的重い上カゴ３３０を無理な姿勢で洗浄槽３０１の内部に収める必要はない。これにより、食器洗いの作業性が良好となる。
【００４２】
また、使用者は、上カゴ３３０をシンク２１０から移動させベース部３４０に載せることで、上カゴ３３０を食器洗浄機３００にセットすることができる。そのため、上カゴ３３０を食器洗浄機３００にセットする作業が比較的簡単になる。このとき、ベース部３４０が底部３４１を有するため、例えばベース部３４０の所定位置からずれた位置で使用者が上カゴ３３０から手を離しても、上カゴ３３０は、ベース部３４０の底部３４１に支持され落下しない。そのため、使用者は、被洗浄物６０１が上カゴ３３０に収納されていても、安心して上カゴ３３０から手を離すことができる。
【００４３】
また、使用者は、ベース部３４０の底部３４１に上カゴ３３０を載せることで、上カゴ３３０を食器洗浄機３００にセットすることができる。そのため、上カゴ３３０を食器洗浄機３００にセットする作業が楽になる。底部３４１は、線材が格子状に組み込まれた構造を有する。そのため、上カゴ３３０がベース部３４０をすり抜けて落下することはない。これにより、上カゴ３３０の落下をより確実に防止することができる。
【００４４】
また、上カゴ３３０が洗浄槽３０１から引き出された状態では、ベース部３４０に保持された上カゴ３３０の後端部３３１ｄは、カウンタ２００の前縁２０１よりも前方に存在する。そのため、使用者が食器洗浄機３００に対して上カゴ３３０を着脱する際に、上カゴ３３０の後端部３３１ｄがカウンタ２００と衝突することを抑えることができる。これにより、上カゴ３３０が衝突の衝撃により落下することを抑えることができる。
【００４５】
上カゴ３３０の後係止片３３１ｂは、使用者にとって比較的見にくい位置に設けられている。そのため、使用者が食器洗浄機３００に対して上カゴ３３０を着脱する際に、後係止片３３１ｂがカウンタ２００の前縁２０１と衝突するおそれがある。  
これに対して、本実施形態では、上カゴ３３０が洗浄槽３０１から引き出された状態では、ベース部３４０に保持された上カゴ３３０の後端部３３１ｄは、カウンタ２００の前縁２０１よりも前方に存在する。そして、上カゴ３３０は、ベース部３４０に対して真上に持ち上げるようにしてベース部３４０から取り外され、また、ベース部３４０に対して真上から降ろすようにしてベース部３４０に装着される。そのため、使用者が食器洗浄機３００に対して上カゴ３３０を着脱する際に、後係止片３３１ｂがカウンタ２００の前縁２０１と衝突することを抑えることができる。これにより、上カゴ３３０が衝突の衝撃により落下することを抑えることができる。
【００４６】
図７は、本実施形態の食器洗浄機の洗浄槽の内部を上方から眺めた模式的平面図である。  
図４（ａ）および図４（ｂ）に関して前述したように、上カゴ３３０がベース部３４０に保持された状態では、長辺３３３は、前後方向に延在する。上カゴ３３０がベース部３４０に保持された状態では、短辺３３４は、左右方向に延在する。そのため、図７に表したように、洗浄槽３０１の内部の前後方向（奥行き方向）の寸法は、洗浄槽３０１の内部の左右方向（横方向）の寸法よりも長い。そのため、図７に表した領域３０７ａ、３０７ｂのように、洗浄槽３０１を上方からみたときにノズル３６０の外形部分の回転軌跡３６０ａとは重ならない領域が、洗浄槽３０１の内部の前端部および後端部において形成される。
【００４７】
ベース部３４０は、保持部３４７を有する。保持部３４７は、引き手３４５を除く部分である。つまり、保持部３４７は、底部３４１および側部３４３を有し、上カゴ３３０を保持する部分である。保持部３４７の前後方向の長さは、左右方向の長さよりも長い。つまり、保持部３４７は、上からみたときに前後方向に長い略長方形を呈する。保持部３４７の前後方向の長さは、上カゴ３３０の長辺３３３の方向の長さよりも長い。保持部３４７の左右方向の長さは、上カゴ３３０の長辺３３３の方向の長さよりも短い。これにより、上カゴ３３０は、その長辺３３３の方向を、保持部３４７の前後方向に合わせたときに保持部３４７に収納することができる。
【００４８】
図７に表したように、上方からみたとき、上カゴ３３０の前係止片３３１ａは、ベース部３４０の保持部３４７よりも外方へ延在し、ノズル３６０の外形部分の回転軌跡３６０ａから外れた領域に配置される部分を有する。上方からみたとき、上カゴ３３０の後係止片３３１ｂは、ベース部３４０の保持部３４７よりも外方へ延在し、ノズル３６０の外形部分の回転軌跡３６０ａから外れた領域に配置される部分を有する。
【００４９】
領域３０７ａおよび領域３０７ｂでは、ノズル３６０の外形部分の回転軌跡３６０ａの内側と比較して、ノズル３６０から噴射された水が到達しにくい。そのため、領域３０７ａおよび領域３０７ｂにおける洗浄能力は、ノズル３６０の外形部分の回転軌跡３６０ａの内側の洗浄能力よりも劣る。そのため、被洗浄物６０１が領域３０７ａおよび領域３０７ｂの少なくともいずれかに配置されると、被洗浄物６０１の洗い残りが生ずるおそれがある。
【００５０】
これに対して、本実施形態では、領域３０７ａには、前係止片３３１ａのうちの少なくとも一部が配置されている。領域３０７ｂには、後係止片３３１ｂのうちの少なくとも一部が配置されている。これにより、十分な洗浄能力を有するノズル３６０の外形部分の回転軌跡３６０ａの内側の領域を被洗浄物６０１の収納領域として有効に活用して、上カゴ３３０の被洗浄物６０１の収納容量を維持しつつ、前係止片３３１ａおよび後係止片３３１ｂを洗浄槽３０１に効率的に収めることができる。また、ノズル３６０から噴射された水が到達しにくい回転軌跡３６０ａの外側の領域３０７ａに、前係止片３３１ａのうちの少なくとも一部が配置されている。ノズル３６０から噴射された水が到達しにくい回転軌跡３６０ａの外側の領域３０７ｂに、後係止片３３１ｂのうちの少なくとも一部が配置されている。これにより、上カゴ３３０に収納された被洗浄物６０１の洗い残しが生ずることを抑えることができる。
【００５１】
また、ベース部３４０は、線材が格子状に組まれた構造を有するため、ノズル３６０から噴射された水は、上カゴ３３０に収納された被洗浄物６０１に直接当たることができる。これにより、食器洗浄機３００は、ベース部３４０の底部に載せた上カゴ３３０に収納された被洗浄物６０１を強い水流によって洗浄して、上カゴ３３０に収納した被洗浄物６０１についても汚れ落とし性能を十分に発揮することができる。
【００５２】
一方で、食器洗浄機３００は、シンク２１０の隣に配設される。その場合、シンク２１０の周縁に係止させた上カゴ３３０の向きがベース部３４０に載せた上カゴ３３０の向きと異なると、使用者は、シンク２１０からベース部３４０に、あるいは、ベース部３４０からシンク２１０に上カゴ３３０を移動させるためには、身体を約９０度回転させる必要がある。その際、食器や調理器具などの被洗浄物６０１が上カゴ３３０に収納されているため、上カゴ３３０の重量は、比較的重い。そのため、使用者は、腰をひねってしまうことも考えられる。これに対して、本実施形態では、使用者は、シンク２１０の周縁に係止された上カゴ３３０を、シンク２１０の周縁に係止された向きと同じ向きのままベース部３４０に載せればよい。そのため、使用者は、食器や調理器具などの被洗浄物６０１が収納された比較的重い上カゴ３３０を、身体の向きを変えることなくシンク２１０とベース部３４０との間で移動させることができる。これにより、身体への負担をより一層軽減することができる。
【００５３】
次に、片付け作業の一例について、図面を参照しつつ説明する。  
図８〜図１５は、片付け作業の一例を例示する模式図である。  
図８（ａ）〜図１１、図１３、および図１５は、模式的斜視図である。図１２は、シンク２１０を上方から眺めた模式的平面図である。図１４は、本実施形態にかかるシステムキッチン１００を前方から眺めた模式的平面図である。図１１は、図１０に表した領域Ａ１１における模式的拡大図である。
【００５４】
図８（ａ）および図８（ｂ）に表したように、ベース部３４０が洗浄槽３０１に収納された状態から、使用者は、ベース部３４０の引き手３４５を持ってベース部３４０を前方へ引き出す。ここで、スライドレール３５０は、外レール３５１と、内レール３５２と、を有する。外レール３５１は、洗浄槽３０１の側壁に固定されている（図５参照）。内レール３５２は、外レール３５１と係合され、外レール３５１に対して前後方向へ移動することができる。図８（ｂ）および図９に表したように、使用者がベース部３４０を前方へ引き出すと、内レール３５２がベース部３４０とともに外レール３５１に対して前方へ移動する。
【００５５】
続いて、使用者は、ベース部３４０の引き手３４５を持ってベース部３４０を前方へさらに引き出す。ここで、図１０および図１１に表したように、内レール３５２の内部には、スライダ３５４が設けられている。スライダ３５４は、内レール３５２に対して前後方向へ移動することができる。スライダ３５４は、ベース部３４０の後部に固定されている。
【００５６】
使用者がベース部３４０を前方へさらに引き出すと、内レール３５２は外レール３５１に対して停止する一方で、スライダ３５４は、ベース部３４０とともに内レール３５２に対して前方へ移動する。これにより、使用者は、ベース部３４０を前方へさらに引き出すことができる。
【００５７】
なお、図８（ａ）〜図１１に表した例では、上カゴ３３０は、ベース部３４０に載置されていない。但し、図８（ａ）〜図１１に表した状態において、上カゴ３３０は、ベース部３４０に載置されていてもよい。  
また、使用者がベース部３４０を洗浄槽３０１から引き出す際に、内レール３５２が外レール３５１に対して前方へ移動した後に、スライダ３５４が内レール３５２に対して前方へ移動する例を説明した。但し、内レール３５２の移動とスライダ３５４の移動との間のタイミングは、これだけには限定されない。例えば、スライダ３５４が内レール３５２に対して前方へ移動した後に、内レール３５２が外レール３５１に対して前方へ移動してもよい。
【００５８】
図１２に表したように、上カゴ３３０は、カウンタ２００のシンク２１０に配置されている。このとき、前係止片３３１ａおよび後係止片３３１ｂが、シンク２１０の周縁に引っ掛かっている。あるいは、上カゴ３３０がベース部３４０に載置されていた場合には、使用者は、上カゴ３３０をベース部３４０から取り外し、上カゴ３３０をカウンタ２００のシンク２１０に配置する。
【００５９】
使用者は、シンク２１０の任意の位置に上カゴ３３０を配置することができる。図１２に表したように、使用者は、水栓２１１からみて左側のシンク２１０に上カゴ３３０を配置することができる。あるいは、使用者は、水栓２１１からみて右側のシンク２１０に上カゴ３３０を配置することができる。このように、使用者は、前係止片３３１ａおよび後係止片３３１ｂをシンク２１０の周縁に引っ掛けることで、好みに応じた位置に上カゴ３３０を配置することができる。なお、後係止片３３１ｂは、シンク２１０の周縁に代えて、シンク２１０に取り付けられた洗剤ラックに引っ掛けられてもよい。
【００６０】
続いて、図１３および図１４に表したように、使用者は、被洗浄物６０１を上カゴ３３０に収納し、被洗浄物６０１が収納された上カゴ３３０をベース部３４０へ載置する。ここで、図１３に表したように、上カゴ３３０は、左右両側に持ち手３３６を有する。持ち手３３６は、例えば上カゴ３３０を形成する線材のうちで長辺３３３の最上部の線材部分である。なお、図１３では、説明の便宜上、上カゴ３３０に収納される被洗浄物６０１を省略している。使用者は、上カゴ３３０の持ち手３３６を持って被洗浄物６０１が収納された上カゴ３３０をベース部３４０へ移動させることができる。
【００６１】
続いて、使用者は、食器洗浄機３００の扉３０５を閉じる。ここで、図３に関して前述したように、上カゴ３３０がベース部３４０に保持された状態では、上カゴ３３０の前端部３３１ｃは、ベース部３４０の側部３４３よりも前方、且つ、ベース部３４０の前端部３４５ａよりも後方に存在する。
【００６２】
これによれば、ベース部３４０が洗浄槽３０１の内部に完全には入っていなくとも、扉３０５は、閉じる際にベース部３４０の前端部３４５ａ（本実施形態では引き手３４５の先端部）を押し込み、ベース部３４０を洗浄槽３０１の内部に収納する。この際、上カゴ３３０の前端部３３１ｃ（本実施形態では前係止片３３１ａの先端部）がベース部３４０の前端部３４５ａよりも後方に存在するため、上カゴ３３０の前端部３３１ｃは、扉３０５とは接触しない。これにより、例えば上カゴ３３０が比較的高い清潔感を有するステンレスにより形成されていても、上カゴ３３０により扉３０５の内面に傷がつくことを抑えることができる。
【００６３】
本実施形態によれば、スライドレール３５０は、比較的高価な三段式のレールとは異なり、外レール３５１と、内レール３５２と、を有する。本実施形態のスライドレール３５０は、洗浄槽３０１の外側へベース部３４０を引き出し、カウンタ２００の前縁２０１よも前方へベース部３４０をより確実に移動させることができる。  
また、使用者が上カゴ３３０を移動させる際に把持する持ち手３３６とは別に、使用者が洗浄槽３０１からベース部３４０を引き出す際に把持する引き手３４５がベース部３４０に設けられている。これにより、使用者は、洗浄槽３０１に対して上カゴ３３０を出し入れする動作をより安定的に行うことができる。
【００６４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、システムキッチン１００および食器洗浄機３００などが備える各要素の形状、寸法、材質、配置などや上カゴ３３０およびベース部３４０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６５】
１００ システムキッチン、  ２００ カウンタ、  ２０１ 前縁、  ２１０ シンク、  ２１１ 水栓、  ３００ 食器洗浄機、  ３０１ 洗浄槽、  ３０１ａ 底面、  ３０１ｂ 、３０１ｃ、３０１ｄ 側壁、  ３０３ 出し入れ口、  ３０５ 扉、  ３０７ａ、３０７ｂ 領域、  ３１０ カゴ、  ３２０ 下カゴ、  ３３０ 上カゴ、  ３３１ 係止片、  ３３１ａ 前係止片、  ３３１ｂ 後係止片、  ３３１ｃ 前端部、  ３３１ｄ 後端部、  ３３３ 長辺、  ３３４ 短辺、  ３３６ 持ち手、  ３４０ ベース部、  ３４１ 底部、  ３４３ 側部、  ３４５ 引き手、  ３４５ａ 前端部、  ３４７ 保持部、  ３５０ スライドレール、  ３５１ 外レール、  ３５２ 内レール、  ３５４ スライダ、  ３６０ ノズル、  ３６０ａ 回転軌跡、  ６０１ 被洗浄物
【要約】
【課題】シンクと食器洗浄機との間でカゴを移動させる際に身体への負担を軽減することができる食器洗浄機を備えたシステムキッチンを提供することを目的とする。
【解決手段】カウンタと、食器洗浄機と、を備え、食器洗浄機は、洗浄槽と、ノズルと、カゴと、扉と、スライドレールと、ベース部と、を有し、カゴは、下カゴと、上カゴと、を有し、上カゴは、前係止片と、後係止片と、を有し、前係止片および後係止片が互いに前後方向に配置されるように底部に載置可能とされ、載置された状態では、スライドレールにより洗浄槽に収納された状態と洗浄槽から引き出された状態との間で移動可能であり、底部から外された状態では、前係止片および後係止片がシンクの周縁に係止されることでシンクに設置可能とされたことを特徴とするシステムキッチンが提供される。
【選択図】図２【図１】
0005549826.tif 000002
【図２】
0005549826.tif 000003
【図３】
0005549826.tif 000004
【図４】
0005549826.tif 000005
【図５】
0005549826.tif 000006
【図６】
0005549826.tif 000007
【図７】
0005549826.tif 000008
【図８】
0005549826.tif 000009
【図９】
0005549826.tif 000010
【図１０】
0005549826.tif 000011
【図１１】
0005549826.tif 000012
【図１２】
0005549826.tif 000013
【図１３】
0005549826.tif 000014
【図１４】
0005549826.tif 000015
【図１５】
0005549826.tif 000016